【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
シーズン録画をスケジュールするための方法であって、前記方法は、
シリーズをユーザデバイスに提供することであって、前記シリーズは、複数の順次シーズンを備え、各シーズンは、複数のエピソードを備える、ことと、
ユーザによって鑑賞される前記シリーズの最後のエピソードを識別するシリーズ進捗インジケータを維持することと、
前記シリーズを録画するための要求を受信することと、
前記シリーズを録画するための要求を受信することに応答して、
前記複数のシーズンのうちの別のシーズンに先行し、前記シリーズ進捗インジケータによって識別される前記エピソードを含む前記複数のシーズンのうちの関連シーズンを決定することと、
放送スケジュールを監視し、前記シリーズの複数の利用可能なエピソードを識別することと、
前記関連シーズンに属し、前記シリーズ進捗インジケータによって識別される前記エピソードに続く、前記シリーズの前記複数の利用可能なエピソードのうちのエピソードをユーザ機器上に録画されるように自動的にスケジュールすることであって、前記自動的にスケジュールすることは、所与の関連シーズンに先行するシーズンのエピソードを前記ユーザ機器上に録画されるようにスケジュールすることを除外し、前記シリーズ進捗インジケータによって識別される前記エピソードに先行する前記所与の関連シーズンのエピソードを前記ユーザ機器上に録画されるようにスケジュールすることを除外する、ことと、
それらの個別の放送時間に録画されるようにスケジュールされる全てのエピソードを録画することと
を含む、方法。
【請求項２】
前記自動的にスケジュールすることは、前記所与の関連シーズンに続くシーズンのエピソードを前記ユーザ機器上に録画されるようにスケジュールすることを除外する、請求項１に記載の方法。
【請求項３】
前記シリーズ進捗インジケータを維持することは、前記ユーザによってメニュー上で選択される前記シリーズのエピソードを監視することを含む、請求項１に記載の方法。
【請求項４】
前記シリーズ進捗インジケータを維持することは、
前記ユーザによって鑑賞された前記シリーズのエピソードのリストを維持することと、
前記シリーズ内で最新である前記ユーザによって鑑賞された前記シリーズのエピソードのうちのエピソードを決定することと
を含む、請求項１に記載の方法。
【請求項５】
前記シリーズ進捗インジケータによって識別される前記エピソードに続く前記関連シリーズの少なくとも１つのエピソードが録画のために利用可能ではないことを決定することに応答して、
前記関連シリーズの前記少なくとも１つのエピソードがオーバーザトップ（ＯＴＴ）ストリーミングのために利用可能であることを決定することと、
通知を前記ユーザに提供することであって、前記通知は、少なくとも１つのオーバーザトップ（ＯＴＴ）ストリーミングサービスを介して、前記関連シリーズの前記少なくとも１つのエピソードをストリーミングするためのハイパーリンクを備える、ことと
をさらに含む、請求項１に記載の方法。
【請求項６】
前記関連シリーズの少なくとも１つのエピソードがＯＴＴストリーミングのために利用可能であることを決定することは、
ユーザプロファイルにアクセスし、いつ前記ユーザが少なくとも１つのＯＴＴストリーミングサービスへのサブスクリプションを有するかを決定すること
を含む、請求項１に記載の方法。
【請求項７】
前記関連シーズンに属する前記シリーズの前記複数の利用可能なエピソードのうちのエピソードを録画されるように自動的にスケジュールすることは、前記関連シーズンを録画するためのオプションを表示することをさらに含み、前記オプションは、現在のシーズンを録画するオプションと、全てのシーズンを録画するオプションとを含む複数の録画オプションの一部である、請求項１に記載の方法。
【請求項８】
放送スケジュールを監視することは、
ユーザプロファイルにアクセスし、いつ前記ユーザが前記シリーズの複数の利用可能なエピソードの録画を可能にするサブスクリプションを有するかを決定すること
を含む、請求項１に記載の方法。
【請求項９】
シーズン録画をスケジュールするためのシステムであって、前記システムは、請求項１〜８のいずれか１項に記載の方法を実施するように構成された制御回路を備える、システム。
【請求項１０】
非一過性のコンピュータ可読媒体であって、前記非一過性のコンピュータ可読媒体は、シーズン録画をスケジュールするためにその上に非一過性のコンピュータ可読命令をエンコードされており、前記非一過性のコンピュータ可読命令は、請求項１〜８のいずれか１項に記載の方法を実施するための命令を備える、非一過性のコンピュータ可読媒体。
【手続補正２】
【補正対象書類名】明細書
【補正対象項目名】００６５
【補正方法】変更
【補正の内容】
【００６５】
いくつかの実施形態では、シリーズを録画するための要求は、ユーザが、可能性として考えられるオプションのリストから関連シーズンを録画するオプションを選択するステップを含んでもよい。例えば、オプションは、「関連シーズン」、「現在のシーズン」、および「全てのシーズン」を含んでもよい。いくつかの実施形態では、ユーザは、ラジオ選択ユーザインターフェース要素を使用して、その選択を行ってもよい。
本願明細書は、例えば、以下の項目も提供する。
（項目１）
シーズン録画をスケジュールするための方法であって、前記方法は、
シリーズをユーザデバイスに提供することであって、前記シリーズは、複数の順次シーズンを備え、各シーズンは、複数のエピソードを備える、ことと、
前記シリーズを録画するための要求を受信することに応答して、
前記ユーザによって鑑賞される前記シリーズの最後のエピソードを識別することと、
前記複数のシーズンのうちの別のシーズンに先行し、前記ユーザによって鑑賞される前記最後のエピソードを含む前記複数のシーズンのうちの関連シーズンを決定することと、
前記関連シーズンに先行するシーズンのエピソードが録画のためにスケジュールされないように、前記ユーザによって鑑賞される前記最後のエピソードに続く前記関連シーズンのエピソードを録画するためにスケジュールすることと
を含む、方法。
（項目２）
シーズン録画をスケジュールするための方法であって、前記方法は、
シリーズをユーザデバイスに提供することであって、前記シリーズは、複数の順次シーズンを備え、各シーズンは、複数のエピソードを備える、ことと、
前記ユーザによって鑑賞される前記シリーズの最後のエピソードを識別するシリーズ進捗インジケータを維持することと、
前記シリーズを録画するための要求を受信することと、
前記シリーズを録画するための要求を受信することに応答して、
前記複数のシーズンのうちの別のシーズンに先行し、前記シリーズ進捗インジケータによって識別される前記エピソードを含む前記複数のシーズンのうちの関連シーズンを決定することと、
放送スケジュールを監視し、前記シリーズの複数の利用可能なエピソードを識別することと、
前記シリーズの複数の利用可能なエピソードのうちの特定のエピソード毎に、
前記特定のエピソードが前記関連シーズンに属し、前記シリーズ進捗インジケータによって識別される前記エピソードに続くことを決定することに応答して、所与の関連シーズンに先行するシーズンのエピソードが録画のためにスケジュールされないように、ユーザ機器上に録画されるように前記特定のエピソードをスケジュールすることと、
それらの個別の放送時間に録画されるようにスケジュールされる全てのエピソードを録画することと
を含む、方法。
（項目３）
前記特定のエピソードが前記関連シーズンに属することを決定することに応答して、所与の関連シーズンに続くシーズンのエピソードが録画のためにスケジュールされないように、前記ユーザ機器上に録画されるように前記特定のエピソードをスケジュールすることをさらに含む、項目２に記載の方法。
（項目４）
前記シリーズ進捗インジケータを維持することは、前記ユーザによってメニュー上で選択される前記シリーズのエピソードを監視することを含む、項目２に記載の方法。
（項目５）
前記シリーズ進捗インジケータを維持することは、
前記ユーザによって鑑賞された前記シリーズのエピソードのリストを維持することと、
前記シリーズ内で最新である前記ユーザによって鑑賞された前記シリーズのエピソードのうちのエピソードを決定することと
を含む、項目２に記載の方法。
（項目６）
前記シリーズ進捗インジケータによって識別される前記エピソードに続く前記関連シーズンの全てのエピソードが録画されていることを決定することに応答して、完了通知を前記ユーザに提供することをさらに含む、項目２に記載の方法。
（項目７）
前記シリーズ進捗インジケータによって識別される前記エピソードに続く前記関連シリーズの少なくとも１つのエピソードが録画のために利用可能ではないことを決定することに応答して、
前記関連シリーズの少なくとも１つのエピソードがオーバーザトップ（ＯＴＴ）ストリーミングのために利用可能であることを決定することと、
通知を前記ユーザに提供することであって、前記通知は、少なくとも１つのオーバーザトップ（ＯＴＴ）ストリーミングサービスを介して、前記関連シリーズの少なくとも１つのエピソードをストリーミングするためのハイパーリンクを備える、ことと
をさらに含む、項目２に記載の方法。
（項目８）
前記関連シリーズの少なくとも１つのエピソードがＯＴＴストリーミングのために利用可能であることを決定することは、
ユーザプロファイルにアクセスし、前記ユーザが前記少なくとも１つのＯＴＴストリーミングサービスへのサブスクリプションを有するかどうかを決定すること
を含む、項目２に記載の方法。
（項目９）
前記シリーズを録画するための要求は、前記関連シーズンを録画するオプションのユーザ選択を備える、項目２に記載の方法。
（項目１０）
前記関連シーズンを録画する前記オプションは、現在のシーズンを録画するオプションと、全てのシーズンを録画するオプションとを含む複数の録画オプションの一部である、項目９に記載の方法。
（項目１１）
放送スケジュールを監視することは、
ユーザプロファイルにアクセスし、前記ユーザが前記シリーズの複数の利用可能なエピソードの録画を可能にするサブスクリプションを有するかどうかを決定すること
を含む、項目２に記載の方法。
（項目１２）
シーズン録画をスケジュールするためのシステムであって、前記システムは、
制御回路であって、
シリーズをユーザデバイスに提供することであって、前記シリーズは、複数の順次シーズンを備え、各シーズンは、複数のエピソードを備える、ことと、
前記ユーザによって鑑賞される前記シリーズの最後のエピソードを識別するシリーズ進捗インジケータを維持することと、
前記シリーズを録画するための要求を受信することと、
前記シリーズを録画するための要求を受信することに応答して、
前記複数のシーズンのうちの別のシーズンに先行し、前記シリーズ進捗インジケータによって識別される前記エピソードを含む前記複数のシーズンのうちの関連シーズンを決定することと、
放送スケジュールを監視し、前記シリーズの複数の利用可能なエピソードを識別することと、
前記シリーズの複数の利用可能なエピソードのうちの特定のエピソード毎に、
前記特定のエピソードが前記関連シーズンに属し、前記シリーズ進捗インジケータによって識別される前記エピソードに続くことを決定することに応答して、所与の関連シーズンに先行するシーズンのエピソードが録画のためにスケジュールされないように、ユーザ機器上に録画されるように前記特定のエピソードをスケジュールすることと、
それらの個別の放送時間に録画されるようにスケジュールされる全てのエピソードを録画することと
を行うように構成される、制御回路
を備える、システム。
（項目１３）
前記制御回路はさらに、前記特定のエピソードが前記関連シーズンに属することを決定することに応答して、所与の関連シーズンに続くシーズンのエピソードが録画のためにスケジュールされないように、前記ユーザ機器上に録画されるように前記特定のエピソードをスケジュールするように構成される、項目１２に記載のシステム。
（項目１４）
前記制御回路は、前記ユーザによってメニュー上で選択される前記シリーズのエピソードを監視することによって、前記シリーズ進捗インジケータを維持するように構成される、項目１２に記載のシステム。
（項目１５）
前記制御回路は、
前記ユーザによって鑑賞された前記シリーズのエピソードのリストを維持することと、
前記シリーズ内で最新である前記ユーザによって鑑賞された前記シリーズのエピソードのうちのエピソードを決定することと
によって、前記シリーズ進捗インジケータを維持するように構成される、項目１２に記載のシステム。
（項目１６）
前記制御回路はさらに、前記シリーズ進捗インジケータによって識別される前記エピソードに続く前記関連シーズンの全てのエピソードが録画されていることを決定することに応答して、完了通知を前記ユーザに提供するように構成される、項目１２に記載のシステム。
（項目１７）
前記制御回路はさらに、
前記シリーズ進捗インジケータによって識別される前記エピソードに続く前記関連シリーズの少なくとも１つのエピソードが録画のために利用可能ではないことを決定することに応答して、
前記関連シリーズの少なくとも１つのエピソードがオーバーザトップ（ＯＴＴ）ストリーミングのために利用可能であることを決定することと、
通知を前記ユーザに提供することであって、前記通知は、少なくとも１つのオーバーザトップ（ＯＴＴ）ストリーミングサービスを介して、前記関連シリーズの少なくとも１つのエピソードをストリーミングするためのハイパーリンクを備える、ことと
を行うように構成される、項目１２に記載のシステム。
（項目１８）
前記制御回路は、ユーザプロファイルにアクセスし、前記ユーザが前記少なくとも１つのＯＴＴストリーミングサービスへのサブスクリプションを有するかどうかを決定することによって、前記関連シリーズの少なくとも１つのエピソードがＯＴＴストリーミングのために利用可能であることを決定するように構成される、項目１２に記載のシステム。
（項目１９）
前記シリーズを録画するための要求は、前記関連シーズンを録画するオプションのユーザ選択を備える、項目１２に記載のシステム。
（項目２０）
前記関連シーズンを録画する前記オプションは、現在のシーズンを録画するオプションと、全てのシーズンを録画するオプションとを含む複数の録画オプションの一部である、項目１９に記載のシステム。
（項目２１）
前記制御回路は、ユーザプロファイルにアクセスし、前記ユーザが前記シリーズの複数の利用可能なエピソードの録画を可能にするサブスクリプションを有するかどうかを決定することによって、放送スケジュールを監視するように構成される、項目１２に記載のシステム。
（項目２２）
シーズン録画をスケジュールするための装置であって、前記装置は、
シリーズをユーザデバイスに提供するための手段であって、前記シリーズは、複数の順次シーズンを備え、各シーズンは、複数のエピソードを備える、手段と、
前記ユーザによって鑑賞される前記シリーズの最後のエピソードを識別するシリーズ進捗インジケータを維持するための手段と、
前記シリーズを録画するための要求を受信するための手段と、
前記シリーズを録画するための要求を受信することに応答して、
前記複数のシーズンのうちの別のシーズンに先行し、前記シリーズ進捗インジケータによって識別される前記エピソードを含む前記複数のシーズンのうちの関連シーズンを決定するための手段と、
放送スケジュールを監視し、前記シリーズの複数の利用可能なエピソードを識別するための手段と、
前記シリーズの複数の利用可能なエピソードのうちの特定のエピソード毎に、
前記特定のエピソードが前記関連シーズンに属し、前記シリーズ進捗インジケータによって識別される前記エピソードに続くことを決定することに応答して、所与の関連シーズンに先行するシーズンのエピソードが録画のためにスケジュールされないように、ユーザ機器上に録画されるように前記特定のエピソードをスケジュールするための手段と、
それらの個別の放送時間に録画されるようにスケジュールされる全てのエピソードを録画するための手段と
を備える、装置。
（項目２３）
前記特定のエピソードが前記関連シーズンに属することを決定することに応答して、所与の関連シーズンに続くシーズンのエピソードが録画のためにスケジュールされないように、前記ユーザ機器上に録画されるように前記特定のエピソードをスケジュールするための手段をさらに備える、項目２２に記載の装置。
（項目２４）
前記シリーズ進捗インジケータを維持するための手段は、前記ユーザによってメニュー上で選択される前記シリーズのエピソードを監視するための手段を備える、項目２２に記載の装置。
（項目２５）
前記シリーズ進捗インジケータを維持するための手段は、
前記ユーザによって鑑賞された前記シリーズのエピソードのリストを維持するための手段と、
前記シリーズ内で最新である前記ユーザによって鑑賞された前記シリーズのエピソードのうちのエピソードを決定するための手段と
を備える、項目２２に記載の装置。
（項目２６）
前記シリーズ進捗インジケータによって識別される前記エピソードに続く前記関連シーズンの全てのエピソードが録画されていることを決定することに応答して、完了通知を前記ユーザに提供するための手段をさらに備える、項目２２に記載の装置。
（項目２７）
前記シリーズ進捗インジケータによって識別される前記エピソードに続く前記関連シリーズの少なくとも１つのエピソードが録画のために利用可能ではないことを決定することに応答して、
前記関連シリーズの少なくとも１つのエピソードがオーバーザトップ（ＯＴＴ）ストリーミングのために利用可能であることを決定するための手段と、
通知を前記ユーザに提供するための手段であって、前記通知は、少なくとも１つのオーバーザトップ（ＯＴＴ）ストリーミングサービスを介して、前記関連シリーズの少なくとも１つのエピソードをストリーミングするためのハイパーリンクを備える、手段と
をさらに備える、項目２２に記載の装置。
（項目２８）
前記関連シリーズの少なくとも１つのエピソードがＯＴＴストリーミングのために利用可能であることを決定するための手段は、
ユーザプロファイルにアクセスし、前記ユーザが前記少なくとも１つのＯＴＴストリーミングサービスへのサブスクリプションを有するかどうかを決定するための手段
を備える、項目２２に記載の装置。
（項目２９）
前記シリーズを録画するための要求は、前記関連シーズンを録画するオプションのユーザ選択を備える、項目２２に記載の装置。
（項目３０）
前記関連シーズンを録画する前記オプションは、現在のシーズンを録画するオプションと、全てのシーズンを録画するオプションとを含む複数の録画オプションの一部である、項目２９に記載の装置。
（項目３１）
前記放送スケジュールを監視するための手段は、
ユーザプロファイルにアクセスし、前記ユーザが前記シリーズの複数の利用可能なエピソードの録画を可能にするサブスクリプションを有するかどうかを決定するための手段
を備える、項目２２に記載の装置。
（項目３２）
非一過性のコンピュータ可読媒体であって、前記非一過性のコンピュータ可読媒体は、シーズン録画をスケジュールするためにその上に非一過性のコンピュータ可読命令をエンコードされており、前記非一過性のコンピュータ可読命令は、
シリーズをユーザデバイスに提供するための命令であって、前記シリーズは、複数の順次シーズンを備え、各シーズンは、複数のエピソードを備える、命令と、
前記ユーザによって鑑賞される前記シリーズの最後のエピソードを識別するシリーズ進捗インジケータを維持するための命令と、
前記シリーズを録画するための要求を受信するための命令と、
前記シリーズを録画するための要求を受信することに応答して、
前記複数のシーズンのうちの別のシーズンに先行し、前記シリーズ進捗インジケータによって識別される前記エピソードを含む前記複数のシーズンのうちの関連シーズンを決定するための命令と、
放送スケジュールを監視し、前記シリーズの複数の利用可能なエピソードを識別するための命令と、
前記シリーズの複数の利用可能なエピソードのうちの特定のエピソード毎に、
前記特定のエピソードが前記関連シーズンに属し、前記シリーズ進捗インジケータによって識別される前記エピソードに続くことを決定することに応答して、所与の関連シーズンに先行するシーズンのエピソードが録画のためにスケジュールされないように、ユーザ機器上に録画されるように前記特定のエピソードをスケジュールするための命令と、
それらの個別の放送時間に録画されるようにスケジュールされる全てのエピソードを録画するための命令と
を備える、非一過性のコンピュータ可読媒体。
（項目３３）
前記特定のエピソードが前記関連シーズンに属することを決定することに応答して、所与の関連シーズンに続くシーズンのエピソードが録画のためにスケジュールされないように、前記ユーザ機器上に録画されるように前記特定のエピソードをスケジュールするための命令をさらに備える、項目３２に記載の非一過性のコンピュータ可読媒体。
（項目３４）
前記シリーズ進捗インジケータを維持するための命令は、前記ユーザによってメニュー上で選択される前記シリーズのエピソードを監視するための命令を備える、項目３２に記載の非一過性のコンピュータ可読媒体。
（項目３５）
前記シリーズ進捗インジケータを維持するための命令は、
前記ユーザによって鑑賞された前記シリーズのエピソードのリストを維持するための命令と、
前記シリーズ内で最新である前記ユーザによって鑑賞された前記シリーズのエピソードのうちのエピソードを決定するための命令と
を備える、項目３２に記載の非一過性のコンピュータ可読媒体。
（項目３６）
前記シリーズ進捗インジケータによって識別される前記エピソードに続く前記関連シーズンの全てのエピソードが録画されていることを決定することに応答して、完了通知を前記ユーザに提供するための命令をさらに備える、項目３２に記載の非一過性のコンピュータ可読媒体。
（項目３７）
前記シリーズ進捗インジケータによって識別される前記エピソードに続く前記関連シリーズの少なくとも１つのエピソードが録画のために利用可能ではないことを決定することに応答して、
前記関連シリーズの少なくとも１つのエピソードがオーバーザトップ（ＯＴＴ）ストリーミングのために利用可能であることを決定するための命令と、
通知を前記ユーザに提供するための命令であって、前記通知は、少なくとも１つのオーバーザトップ（ＯＴＴ）ストリーミングサービスを介して、前記関連シリーズの少なくとも１つのエピソードをストリーミングするためのハイパーリンクを備える、命令と
をさらに備える、項目３２に記載の非一過性のコンピュータ可読媒体。
（項目３８）
前記関連シリーズの少なくとも１つのエピソードがＯＴＴストリーミングのために利用可能であることを決定するための命令は、
ユーザプロファイルにアクセスし、前記ユーザが前記少なくとも１つのＯＴＴストリーミングサービスへのサブスクリプションを有するかどうかを決定するための命令
を備える、項目３２に記載の非一過性のコンピュータ可読媒体。
（項目３９）
前記シリーズを録画するための要求は、前記関連シーズンを録画するオプションのユーザ選択を備える、項目３２に記載の非一過性のコンピュータ可読媒体。
（項目４０）
前記関連シーズンを録画する前記オプションは、現在のシーズンを録画するオプションと、全てのシーズンを録画するオプションとを含む複数の録画オプションの一部である、項目３９に記載の非一過性のコンピュータ可読媒体。
（項目４１）
前記放送スケジュールを監視するための命令は、
ユーザプロファイルにアクセスし、前記ユーザが前記シリーズの複数の利用可能なエピソードの録画を可能にするサブスクリプションを有するかどうかを決定するための命令
を備える、項目３２に記載の非一過性のコンピュータ可読媒体。
（項目４２）
シーズン録画をスケジュールするための方法であって、前記方法は、
シリーズをユーザデバイスに提供することであって、前記シリーズは、複数の順次シーズンを備え、各シーズンは、複数のエピソードを備える、ことと、
前記ユーザによって鑑賞される前記シリーズの最後のエピソードを識別するシリーズ進捗インジケータを維持することと、
前記シリーズを録画するための要求を受信することと、
前記シリーズを録画するための要求を受信することに応答して、
前記複数のシーズンのうちの別のシーズンに先行し、前記シリーズ進捗インジケータによって識別される前記エピソードを含む前記複数のシーズンのうちの関連シーズンを決定することと、
放送スケジュールを監視し、前記シリーズの複数の利用可能なエピソードを識別することと、
前記シリーズの複数の利用可能なエピソードのうちの特定のエピソード毎に、
前記特定のエピソードが前記関連シーズンに属し、前記シリーズ進捗インジケータによって識別される前記エピソードに続くことを決定することに応答して、所与の関連シーズンに先行するシーズンのエピソードが録画のためにスケジュールされないように、ユーザ機器上に録画されるように前記特定のエピソードをスケジュールすることと、
それらの個別の放送時間に録画されるようにスケジュールされる全てのエピソードを録画することと
を含む、方法。
（項目４３）
前記特定のエピソードが前記関連シーズンに属することを決定することに応答して、所与の関連シーズンに続くシーズンのエピソードが録画のためにスケジュールされないように、前記ユーザ機器上に録画されるように前記特定のエピソードをスケジュールすることをさらに含む、項目４２に記載の方法。
（項目４４）
前記シリーズ進捗インジケータを維持することは、前記ユーザによってメニュー上で選択される前記シリーズのエピソードを監視することを含む、項目４２−４３のいずれか１項に記載の方法。
（項目４５）
前記シリーズ進捗インジケータを維持することは、
前記ユーザによって鑑賞された前記シリーズのエピソードのリストを維持することと、
前記シリーズ内で最新である前記ユーザによって鑑賞された前記シリーズのエピソードのうちのエピソードを決定することと
を含む、項目４２−４４のいずれか１項に記載の方法。
（項目４６）
前記シリーズ進捗インジケータによって識別される前記エピソードに続く前記関連シーズンの全てのエピソードが録画されていることを決定することに応答して、完了通知を前記ユーザに提供することをさらに含む、項目４２−４５のいずれか１項に記載の方法。
（項目４７）
前記シリーズ進捗インジケータによって識別される前記エピソードに続く前記関連シリーズの少なくとも１つのエピソードが録画のために利用可能ではないことを決定することに応答して、
前記関連シリーズの少なくとも１つのエピソードがオーバーザトップ（ＯＴＴ）ストリーミングのために利用可能であることを決定することと、
通知を前記ユーザに提供することであって、前記通知は、少なくとも１つのオーバーザトップ（ＯＴＴ）ストリーミングサービスを介して、前記関連シリーズの少なくとも１つのエピソードをストリーミングするためのハイパーリンクを備える、ことと
をさらに含む、項目４２−４６のいずれか１項に記載の方法。
（項目４８）
前記関連シリーズの少なくとも１つのエピソードがＯＴＴストリーミングのために利用可能であることを決定することは、
ユーザプロファイルにアクセスし、前記ユーザが前記少なくとも１つのＯＴＴストリーミングサービスへのサブスクリプションを有するかどうかを決定すること
を含む、項目４２−４７のいずれか１項に記載の方法。
（項目４９）
前記シリーズを録画するための要求は、前記関連シーズンを録画するオプションのユーザ選択を備える、項目４２−４８のいずれか１項に記載の方法。
（項目５０）
前記関連シーズンを録画する前記オプションは、現在のシーズンを録画するオプションと、全てのシーズンを録画するオプションとを含む複数の録画オプションの一部である、項目４２−４９のいずれか１項に記載の方法。
（項目５１）
放送スケジュールを監視することは、
ユーザプロファイルにアクセスし、前記ユーザが前記シリーズの複数の利用可能なエピソードの録画を可能にするサブスクリプションを有するかどうかを決定すること
を含む、項目４２−５０のいずれか１項に記載の方法。
（項目５２）
ユーザインターフェースを選択するための方法であって、前記方法は、
ユーザ機器と通信可能に接続されるリモートコントローラの機能性を検出することと、
前記リモートコントローラ上の各入力の標識および機能性を決定することと、
前記リモートコントローラの少なくとも１つの入力の標識および機能性に合致する少なくとも１つのユーザインターフェース要素を伴うユーザインターフェースを選択することと、
前記ユーザ機器上に前記選択されたユーザインターフェースを表示することと
を含む、方法。
（項目５３）
ユーザインターフェースを選択するための方法であって、前記方法は、
リモートコントローラから遠隔にあるユーザ機器上のユーザインターフェースと相互作用することが可能であるリモートコントローラを検出することであって、前記リモートコントローラは、複数の入力を備える、ことと、
前記リモートコントローラの特性を決定することであって、前記特性は、前記複数の入力のうちの全ての入力の説明を含み、各入力の説明は、入力のタイプと、前記入力の標識とを備える、ことと、
前記リモートコントローラの特性に基づいて、前記ユーザ機器上に表示するための最適なユーザインターフェースを選択することであって、前記選択することは、
複数のテンプレートユーザインターフェースを記憶することであって、各テンプレートユーザインターフェースは、複数のユーザインターフェース要素を備え、各インターフェース要素は、標識と、機能性タイプとを備える、ことと、
そのテンプレートユーザインターフェースの少なくとも１つのインターフェース要素が、前記リモートコントローラの少なくとも１つの入力の説明に対応するように、前記複数のテンプレートユーザインターフェースのうちのテンプレートユーザインターフェースを選択することであって、
前記少なくとも１つのインターフェース要素は、前記インターフェース要素の標識が前記入力の標識に合致し、前記入力のタイプが前記インターフェース要素の機能性タイプと互換性があるときに、前記入力の説明に対応する、ことと
を含む、ことと、
前記ユーザ機器上に前記選択された最適なユーザインターフェースを表示することと
を含む、方法。
（項目５４）
前記選択することは、
そのテンプレートユーザインターフェースの各インターフェース要素が、前記リモートコントローラの少なくとも１つの入力の説明に対応するように、前記複数のテンプレートユーザインターフェースのうちのテンプレートユーザインターフェースを選択すること
を含む、項目５３に記載の方法。
（項目５５）
前記リモートコントローラの特性を決定することは、
前記リモートコントローラからリモートコントローラ識別子を受信することと、
前記識別子を遠隔サーバに伝送することと、
前記遠隔サーバから前記リモートコントローラの特性を受信することと
を含む、項目５４に記載の方法。
（項目５６）
前記記憶された複数のテンプレートユーザインターフェースのうちのいずれも選択されることができないことを決定することに応答して、前記リモートコントローラの特性に基づいて、新しいテンプレートユーザインターフェースを生成すること
をさらに含む、項目５４に記載の方法。
（項目５７）
新しいテンプレートユーザインターフェースを生成することは、
前記複数のテンプレートユーザインターフェースからベーステンプレートユーザインターフェースを選択することと、
その修正されたテンプレートユーザインターフェースの各インターフェース要素が、前記リモートコントローラの少なくとも１つの入力の説明に対応するように、前記ベーステンプレートユーザインターフェースを修正することと
を含む、項目５６に記載の方法。
（項目５８）
前記ベーステンプレートユーザインターフェースを修正することは、少なくとも１つのインターフェース要素を再標識すること、少なくとも１つのインターフェース要素を除去すること、および少なくとも１つのインターフェース要素の機能性を修正することのうちの少なくとも１つを含む、項目５６に記載の方法。
（項目５９）
前記複数のテンプレートユーザインターフェースの一部として、前記新しいテンプレートユーザインターフェースを記憶することをさらに含む、項目５６に記載の方法。
（項目６０）
前記リモートコントローラが前記選択された最適なユーザインターフェースのユーザインターフェース要素の数よりも多くの入力を有することを決定することに応答して、前記リモートコントローラの特性に基づいて、前記選択された最適なユーザインターフェースを修正することをさらに含む、項目５４に記載の方法。
（項目６１）
前記選択された最適なユーザインターフェースを修正することは、少なくとも１つの新しいユーザインターフェース要素を前記最適なユーザインターフェーステンプレートに追加すること、および空白のユーザインターフェース要素への標識を前記最適なユーザインターフェーステンプレートに追加することのうちの少なくとも１つを含む、項目６０に記載の方法。
（項目６２）
前記複数のテンプレートユーザインターフェースの一部として、前記修正されたテンプレートユーザインターフェースを記憶することをさらに含む、項目６０に記載の方法。
（項目６３）
ユーザインターフェースを選択するためのシステムであって、前記システムは、
制御回路であって、
リモートコントローラから遠隔にあるユーザ機器上のユーザインターフェースと相互作用することが可能であるリモートコントローラを検出することであって、前記リモートコントローラは、複数の入力を備える、ことと、
前記リモートコントローラの特性を決定することであって、前記特性は、前記複数の入力のうちの全ての入力の説明を含み、各入力の説明は、入力のタイプと、前記入力の標識とを備える、ことと、
前記リモートコントローラの特性に基づいて、前記ユーザ機器上に表示するための最適なユーザインターフェースを選択することであって、前記選択することは、
複数のテンプレートユーザインターフェースを記憶することであって、各テンプレートユーザインターフェースは、複数のユーザインターフェース要素を備え、各インターフェース要素は、標識と、機能性タイプとを備える、ことと、
そのテンプレートユーザインターフェースの少なくとも１つのインターフェース要素が、前記リモートコントローラの少なくとも１つの入力の説明に対応するように、前記複数のテンプレートユーザインターフェースのうちのテンプレートユーザインターフェースを選択することであって、
前記少なくとも１つのインターフェース要素は、前記インターフェース要素の標識が前記入力の標識に合致し、前記入力のタイプが前記インターフェース要素の機能性タイプと互換性があるときに、前記入力の説明に対応する、ことと
を含む、ことと、
前記ユーザ機器上に前記選択された最適なユーザインターフェースを表示することと
を行うように構成される、制御回路
を備える、システム。
（項目６４）
前記制御回路は、そのテンプレートユーザインターフェースの各インターフェース要素が、前記リモートコントローラの少なくとも１つの入力の説明に対応するように、前記複数のテンプレートユーザインターフェースのうちのテンプレートユーザインターフェースを選択することによって、選択するように構成される、項目６３に記載のシステム。
（項目６５）
前記制御回路は、
前記リモートコントローラからリモートコントローラ識別子を受信することと、
前記識別子を遠隔サーバに伝送することと、
前記遠隔サーバから前記リモートコントローラの特性を受信することと
によって、前記リモートコントローラの特性を決定するように構成される、
項目６４に記載のシステム。
（項目６６）
前記制御回路はさらに、前記記憶された複数のテンプレートユーザインターフェースのうちのいずれも選択されることができないことを決定することに応答して、前記リモートコントローラの特性に基づいて、新しいテンプレートユーザインターフェースを生成するように構成される、項目６４に記載のシステム。
（項目６７）
前記制御回路は、
前記複数のテンプレートユーザインターフェースからベーステンプレートユーザインターフェースを選択することと、
その修正されたテンプレートユーザインターフェースの各インターフェース要素が、前記リモートコントローラの少なくとも１つの入力の説明に対応するように、前記ベーステンプレートユーザインターフェースを修正することと
によって、新しいテンプレートユーザインターフェースを生成するように構成される、項目６６に記載のシステム。
（項目６８）
前記制御回路は、少なくとも１つのインターフェース要素を再標識すること、少なくとも１つのインターフェース要素を除去すること、および少なくとも１つのインターフェース要素の機能性を修正することのうちの少なくとも１つを実施することによって、前記ベーステンプレートユーザインターフェースを修正するように構成される、項目６６に記載のシステム。
（項目６９）
前記制御回路は、前記複数のテンプレートユーザインターフェースの一部として、前記新しいテンプレートユーザインターフェースを記憶するように構成される、項目６６に記載のシステム。
（項目７０）
前記制御回路は、前記リモートコントローラが前記選択された最適なユーザインターフェースのユーザインターフェース要素の数よりも多くの入力を有することを決定することに応答して、前記リモートコントローラの特性に基づいて、前記選択された最適なユーザインターフェースを修正するように構成される、項目６４に記載のシステム。
（項目７１）
前記制御回路は、少なくとも１つの新しいユーザインターフェース要素を前記最適なユーザインターフェーステンプレートに追加すること、および空白のユーザインターフェース要素への標識を前記最適なユーザインターフェーステンプレートに追加することのうちの少なくとも１つを実施することによって、前記選択された最適なユーザインターフェースを修正するように構成される、項目７０に記載のシステム。
（項目７２）
前記制御回路はさらに、前記複数のテンプレートユーザインターフェースの一部として、前記修正されたテンプレートユーザインターフェースを記憶するように構成される、項目７０に記載のシステム。
（項目７３）
ユーザインターフェースを選択するための装置であって、前記装置は、
リモートコントローラから遠隔にあるユーザ機器上のユーザインターフェースと相互作用することが可能であるリモートコントローラを検出するための手段であって、前記リモートコントローラは、複数の入力を備える、手段と、
前記リモートコントローラの特性を決定するための手段であって、前記特性は、前記複数の入力のうちの全ての入力の説明を含み、各入力の説明は、入力のタイプと、前記入力の標識とを備える、手段と、
前記リモートコントローラの特性に基づいて、前記ユーザ機器上に表示するための最適なユーザインターフェースを選択するための手段であって、前記選択するための手段は、
複数のテンプレートユーザインターフェースを記憶するための手段であって、各テンプレートユーザインターフェースは、複数のユーザインターフェース要素を備え、各インターフェース要素は、標識と、機能性タイプとを備える、手段と、
そのテンプレートユーザインターフェースの少なくとも１つのインターフェース要素が、前記リモートコントローラの少なくとも１つの入力の説明に対応するように、前記複数のテンプレートユーザインターフェースのうちのテンプレートユーザインターフェースを選択するための手段であって、
前記少なくとも１つのインターフェース要素は、前記インターフェース要素の標識が前記入力の標識に合致し、前記入力のタイプが前記インターフェース要素の機能性タイプと互換性があるときに、前記入力の説明に対応する、手段と
を備える、手段と、
前記ユーザ機器上に前記選択された最適なユーザインターフェースを表示するための手段と
を備える、装置。
（項目７４）
前記選択するための手段は、
そのテンプレートユーザインターフェースの各インターフェース要素が、前記リモートコントローラの少なくとも１つの入力の説明に対応するように、前記複数のテンプレートユーザインターフェースのうちのテンプレートユーザインターフェースを選択するための手段
を備える、項目７３に記載の装置。
（項目７５）
前記リモートコントローラの特性を決定するための手段は、
前記リモートコントローラからリモートコントローラ識別子を受信するための手段と、
前記識別子を遠隔サーバに伝送するための手段と、
前記遠隔サーバから前記リモートコントローラの特性を受信するための手段と
を備える、項目７４に記載の装置。
（項目７６）
前記記憶された複数のテンプレートユーザインターフェースのうちのいずれも選択されることができないことを決定することに応答して、前記リモートコントローラの特性に基づいて、新しいテンプレートユーザインターフェースを生成するための手段をさらに備える、項目７４に記載の装置。
（項目７７）
前記新しいテンプレートユーザインターフェースを生成するための手段は、
前記複数のテンプレートユーザインターフェースからベーステンプレートユーザインターフェースを選択するための手段と、
その修正されたテンプレートユーザインターフェースの各インターフェース要素が、前記リモートコントローラの少なくとも１つの入力の説明に対応するように、前記ベーステンプレートユーザインターフェースを修正するための手段と
を備える、項目７６に記載の装置。
（項目７８）
前記ベーステンプレートユーザインターフェースを修正するための手段は、少なくとも１つのインターフェース要素を再標識するための手段、少なくとも１つのインターフェース要素を除去するための手段、および少なくとも１つのインターフェース要素の機能性を修正するための手段のうちの少なくとも１つを備える、項目７６に記載の装置。
（項目７９）
前記複数のテンプレートユーザインターフェースの一部として、前記新しいテンプレートユーザインターフェースを記憶するための手段をさらに備える、項目７６に記載の装置。
（項目８０）
前記リモートコントローラが前記選択された最適なユーザインターフェースのユーザインターフェース要素の数よりも多くの入力を有することを決定することに応答して、前記リモートコントローラの特性に基づいて、前記選択された最適なユーザインターフェースを修正するための手段をさらに備える、項目７４に記載の装置。
（項目８１）
前記選択された最適なユーザインターフェースを修正するための手段は、少なくとも１つの新しいユーザインターフェース要素を前記最適なユーザインターフェーステンプレートに追加するための手段、および空白のユーザインターフェース要素への標識を前記最適なユーザインターフェーステンプレートに追加するための手段のうちの少なくとも１つを備える、項目８０に記載の装置。
（項目８２）
前記複数のテンプレートユーザインターフェースの一部として、前記修正されたテンプレートユーザインターフェースを記憶するための手段をさらに含む、項目８０に記載の装置。
（項目８３）
非一過性のコンピュータ可読媒体であって、前記非一過性のコンピュータ可読媒体は、ユーザインターフェースを選択するためにその上に非一過性のコンピュータ可読命令をエンコードされており、前記非一過性のコンピュータ可読命令は、
リモートコントローラから遠隔にあるユーザ機器上のユーザインターフェースと相互作用することが可能であるリモートコントローラを検出するための命令であって、前記リモートコントローラは、複数の入力を備える、命令と、
前記リモートコントローラの特性を決定するための命令であって、前記特性は、前記複数の入力のうちの全ての入力の説明を含み、各入力の説明は、入力のタイプと、前記入力の標識とを備える、命令と、
前記リモートコントローラの特性に基づいて、前記ユーザ機器上に表示するための最適なユーザインターフェースを選択するための命令であって、前記選択するための命令は、
複数のテンプレートユーザインターフェースを記憶するための命令であって、各テンプレートユーザインターフェースは、複数のユーザインターフェース要素を備え、各インターフェース要素は、標識と、機能性タイプとを備える、命令と、
そのテンプレートユーザインターフェースの少なくとも１つのインターフェース要素が、前記リモートコントローラの少なくとも１つの入力の説明に対応するように、前記複数のテンプレートユーザインターフェースのうちのテンプレートユーザインターフェースを選択するための命令であって、
前記少なくとも１つのインターフェース要素は、前記インターフェース要素の標識が前記入力の標識に合致し、前記入力のタイプが前記インターフェース要素の機能性タイプと互換性があるときに、前記入力の説明に対応する、命令と
を備える、命令と、
前記ユーザ機器上に前記選択された最適なユーザインターフェースを表示するための命令と
を備える、非一過性のコンピュータ可読媒体。
（項目８４）
前記選択するための命令は、
そのテンプレートユーザインターフェースの各インターフェース要素が、前記リモートコントローラの少なくとも１つの入力の説明に対応するように、前記複数のテンプレートユーザインターフェースのうちのテンプレートユーザインターフェースを選択するための命令
を備える、項目８３に記載の非一過性のコンピュータ可読媒体。
（項目８５）
前記リモートコントローラの特性を決定するための命令は、
前記リモートコントローラからリモートコントローラ識別子を受信するための命令と、
前記識別子を遠隔サーバに伝送するための命令と、
前記遠隔サーバから前記リモートコントローラの特性を受信するための命令と
を備える、項目８４に記載の非一過性のコンピュータ可読媒体。
（項目８６）
前記記憶された複数のテンプレートユーザインターフェースのうちのいずれも選択されることができないことを決定することに応答して、前記リモートコントローラの特性に基づいて、新しいテンプレートユーザインターフェースを生成するための命令をさらに備える、項目８４に記載の非一過性のコンピュータ可読媒体。
（項目８７）
前記新しいテンプレートユーザインターフェースを生成するための命令は、
前記複数のテンプレートユーザインターフェースからベーステンプレートユーザインターフェースを選択するための命令と、
その修正されたテンプレートユーザインターフェースの各インターフェース要素が、前記リモートコントローラの少なくとも１つの入力の説明に対応するように、前記ベーステンプレートユーザインターフェースを修正するための命令と
を備える、項目８６に記載の非一過性のコンピュータ可読媒体。
（項目８８）
前記ベーステンプレートユーザインターフェースを修正するための命令は、少なくとも１つのインターフェース要素を再標識するための命令、少なくとも１つのインターフェース要素を除去するための命令、および少なくとも１つのインターフェース要素の機能性を修正するための命令のうちの少なくとも１つを備える、項目８６に記載の非一過性のコンピュータ可読媒体。
（項目８９）
前記複数のテンプレートユーザインターフェースの一部として、前記新しいテンプレートユーザインターフェースを記憶するための命令をさらに備える、項目８６に記載の非一過性のコンピュータ可読媒体。
（項目９０）
前記リモートコントローラが前記選択された最適なユーザインターフェースのユーザインターフェース要素の数よりも多くの入力を有することを決定することに応答して、前記リモートコントローラの特性に基づいて、前記選択された最適なユーザインターフェースを修正するための命令をさらに備える、項目８４に記載の非一過性のコンピュータ可読媒体。
（項目９１）
前記選択された最適なユーザインターフェースを修正するための命令は、少なくとも１つの新しいユーザインターフェース要素を前記最適なユーザインターフェーステンプレートに追加するための命令、および空白のユーザインターフェース要素への標識を前記最適なユーザインターフェーステンプレートに追加するための命令のうちの少なくとも１つを備える、項目９０に記載の非一過性のコンピュータ可読媒体。
（項目９２）
前記複数のテンプレートユーザインターフェースの一部として、前記修正されたテンプレートユーザインターフェースを記憶するための命令をさらに含む、項目９０に記載の非一過性のコンピュータ可読媒体。
（項目９３）
ユーザインターフェースを選択するための方法であって、前記方法は、
リモートコントローラから遠隔にあるユーザ機器上のユーザインターフェースと相互作用することが可能であるリモートコントローラを検出することであって、前記リモートコントローラは、複数の入力を備える、ことと、
前記リモートコントローラの特性を決定することであって、前記特性は、前記複数の入力のうちの全ての入力の説明を含み、各入力の説明は、入力のタイプと、前記入力の標識とを備える、ことと、
前記リモートコントローラの特性に基づいて、前記ユーザ機器上に表示するための最適なユーザインターフェースを選択することであって、前記選択することは、
複数のテンプレートユーザインターフェースを記憶することであって、各テンプレートユーザインターフェースは、複数のユーザインターフェース要素を備え、各インターフェース要素は、標識と、機能性タイプとを備える、ことと、
そのテンプレートユーザインターフェースの少なくとも１つのインターフェース要素が、前記リモートコントローラの少なくとも１つの入力の説明に対応するように、前記複数のテンプレートユーザインターフェースのうちのテンプレートユーザインターフェースを選択することであって、
前記少なくとも１つのインターフェース要素は、前記インターフェース要素の標識が前記入力の標識に合致し、前記入力のタイプが前記インターフェース要素の機能性タイプと互換性があるときに、前記入力の説明に対応する、ことと
を含む、ことと、
前記ユーザ機器上に前記選択された最適なユーザインターフェースを表示することと
を含む、方法。
（項目９４）
前記選択することは、
そのテンプレートユーザインターフェースの各インターフェース要素が、前記リモートコントローラの少なくとも１つの入力の説明に対応するように、前記複数のテンプレートユーザインターフェースのうちのテンプレートユーザインターフェースを選択すること
を含む、項目９３に記載の方法。
（項目９５）
前記リモートコントローラの特性を決定することは、
前記リモートコントローラからリモートコントローラ識別子を受信することと、
前記識別子を遠隔サーバに伝送することと、
前記遠隔サーバから前記リモートコントローラの特性を受信することと
を含む、項目９４に記載の方法。
（項目９６）
前記記憶された複数のテンプレートユーザインターフェースのうちのいずれも選択されることができないことを決定することに応答して、前記リモートコントローラの特性に基づいて、新しいテンプレートユーザインターフェースを生成すること
をさらに含む、項目９３−９５のいずれか１項に記載の方法。
（項目９７）
新しいテンプレートユーザインターフェースを生成することは、
前記複数のテンプレートユーザインターフェースからベーステンプレートユーザインターフェースを選択することと、
その修正されたテンプレートユーザインターフェースの各インターフェース要素が、前記リモートコントローラの少なくとも１つの入力の説明に対応するように、前記ベーステンプレートユーザインターフェースを修正することと
を含む、項目９６に記載の方法。
（項目９８）
前記ベーステンプレートユーザインターフェースを修正することは、少なくとも１つのインターフェース要素を再標識すること、少なくとも１つのインターフェース要素を除去すること、および少なくとも１つのインターフェース要素の機能性を修正することのうちの少なくとも１つを含む、項目９６−９７のいずれか１項に記載の方法。
（項目９９）
前記複数のテンプレートユーザインターフェースの一部として、前記新しいテンプレートユーザインターフェースを記憶することをさらに含む、項目９６−９８のいずれか１項に記載の方法。
（項目１００）
前記リモートコントローラが前記選択された最適なユーザインターフェースのユーザインターフェース要素の数よりも多くの入力を有することを決定することに応答して、前記リモートコントローラの特性に基づいて、前記選択された最適なユーザインターフェースを修正することをさらに含む、項目９４−９９のいずれか１項に記載の方法。
（項目１０１）
前記選択された最適なユーザインターフェースを修正することは、少なくとも１つの新しいユーザインターフェース要素を前記最適なユーザインターフェーステンプレートに追加すること、および空白のユーザインターフェース要素への標識を前記最適なユーザインターフェーステンプレートに追加することのうちの少なくとも１つを含む、項目１００に記載の方法。
（項目１０２）
前記複数のテンプレートユーザインターフェースの一部として、前記修正されたテンプレートユーザインターフェースを記憶することをさらに含む、項目１００−１０１のいずれか１項に記載の方法。
（項目１０３）
アプリケーションのステータスをユーザに表示するための方法であって、前記方法は、
アプリケーションに対して前記ユーザのアカウントステータスを決定することと、
前記アカウントステータスが前記アプリケーションへの第１のアクセスのレベルを示すことを決定することに応答して、前記ユーザは、前記アプリケーションへの前記第１のアクセスのレベルを使用して、メディアコンテンツの第１のセットにアクセスすることができ、
前記アプリケーションへの前記第１のアクセスのレベルを有する前記ユーザを示すメニューアイコンを生成する、ことと、
前記アカウントステータスが前記アプリケーションへの第２のアクセスのレベルを示すことを決定することに応答して、前記ユーザは、前記アプリケーションへの前記第２のアクセスのレベルを使用して、前記第１のセットによって含有されていない少なくとも１つのメディアコンテンツを含有するメディアコンテンツの第２のセットにアクセスすることができ、
前記アプリケーションへの前記第２のアクセスのレベルを有する前記ユーザを示すメニューアイコンを生成する、ことと、
ユーザデバイス上に表示するために前記メニューアイコンを生成することと
を含む、方法。
（項目１０４）
アプリケーションのステータスをユーザに表示するための方法であって、前記方法は、
ユーザプロファイルを維持することであって、前記ユーザプロファイルは、複数のアプリケーションに関して、個別のアプリケーションへの前記ユーザのアクセスのレベルを示すユーザアカウントステータスを含む、ことと、
前記ユーザプロファイルから、前記複数のアプリケーションのうちの第１のアプリケーションに関連して前記ユーザのアカウントステータスを読み出すことと、
前記ユーザのアカウントステータスから、前記第１のアプリケーションへの前記ユーザのアクセスのレベルを決定することと、
前記ユーザが第１のアクセスのレベルを有することを決定することに応答して、前記ユーザは、前記第１のアプリケーションへの前記第１のアクセスのレベルを使用して、メディアコンテンツの第１のセットにアクセスすることができ、
メニューアイコンを生成することであって、前記メニューアイコンの外観は、前記ユーザが前記第１のアプリケーションへの前記第１のアクセスのレベルを有することを示す、ことと、
ユーザデバイス上に表示するために前記メニューアイコンを生成することと、
前記ユーザが第２のアクセスのレベルを有することを決定することに応答して、前記ユーザは、前記第１のアプリケーションへの前記第２のアクセスのレベルを使用して、前記第１のセットによって含有されていない少なくとも１つのメディアコンテンツを含有するメディアコンテンツの第２のセットにアクセスすることができ、
前記メニューアイコンを生成することであって、前記メニューアイコンの外観は、前記ユーザが前記第１のアプリケーションへの前記第２のアクセスのレベルを有することを示す、ことと、
ユーザデバイス上に表示するために前記メニューアイコンを生成することと、
前記メニューアイコンとのユーザ相互作用のインジケーションを受信することに応答して、前記第１のアプリケーションを起動することと
を含む、方法。
（項目１０５）
前記第１のアプリケーションへの前記第１のアクセスのレベルは、前記第１のアプリケーションへの無料サブスクリプションを有する前記ユーザを示し、
前記第１のアプリケーションへの前記第２のアクセスのレベルは、前記第１のアプリケーションへの有料サブスクリプションを有する前記ユーザを示す、項目１０４に記載の方法。
（項目１０６）
前記第１のアプリケーションへの前記ユーザのアクセスのレベルを決定することは、
前記ユーザのアカウントステータスから時間を決定することであって、前記時間は、前記ユーザのための前記第１のアプリケーションへのサブスクリプションが満了するまで残された時間量である、ことと、
前記時間に基づいて、前記第１のアプリケーションへの前記ユーザのアクセスのレベルを決定することと
を含む、項目１０４に記載の方法。
（項目１０７）
前記メニューアイコンを生成することであって、前記メニューアイコンの外観は、前記ユーザが前記第１のアプリケーションへの前記第２のアクセスのレベルを有することを示す、ことは、
前記時間のインジケーションを含むように、前記メニューアイコンの外観を変更すること
を含む、項目１０６に記載の方法。
（項目１０８）
前記メニューアイコンを生成することであって、前記メニューアイコンの外観は、前記ユーザが前記第１のアプリケーションへの前記第１のアクセスのレベルを有することを示す、ことは、
第１の色を含むように、前記メニューアイコンの外観を変更すること
を含み、
前記メニューアイコンを生成することであって、前記メニューアイコンの外観は、前記ユーザが前記第１のアプリケーションへの前記第２のアクセスのレベルを有することを示す、ことは、
前記第１の色と異なる第２の色を含むように、前記メニューアイコンの外観を変更すること
を含む、項目１０４に記載の方法。
（項目１０９）
前記メニューアイコンを生成することであって、前記メニューアイコンの外観は、前記ユーザが前記第１のアプリケーションへの前記第１のアクセスのレベルを有することを示す、ことは、
前記メニューアイコンのサイズを第１のサイズに設定すること
を含み、
前記メニューアイコンを生成することであって、前記メニューアイコンの外観は、前記ユーザが前記第１のアプリケーションへの前記第２のアクセスのレベルを有することを示す、ことは、
前記メニューアイコンのサイズを前記第１のサイズと異なる第２のサイズに設定すること
を含む、項目１０４に記載の方法。
（項目１１０）
前記メニューアイコンを生成することであって、前記メニューアイコンの外観は、前記ユーザが前記第１のアプリケーションへの前記第１のアクセスのレベルを有することを示す、ことは、
前記メニューアイコンの外観を静的であるように設定すること
を含み、
前記メニューアイコンを生成することであって、前記メニューアイコンの外観は、前記ユーザが前記第１のアプリケーションへの前記第２のアクセスのレベルを有することを示す、ことは、
アニメーションを含むように、前記メニューアイコンの外観を修正すること
を含む、項目１０４に記載の方法。
（項目１１１）
前記メニューアイコンを生成することであって、前記メニューアイコンの外観は、前記ユーザが前記第１のアプリケーションへの前記第１のアクセスのレベルを有することを示す、ことは、
第１のテキストを含むように、前記メニューアイコンの外観を変更すること
を含み、
前記メニューアイコンを生成することであって、前記メニューアイコンの外観は、前記ユーザが前記第１のアプリケーションへの前記第２のアクセスのレベルを有することを示す、ことは、
前記第１のテキストと異なる第２のテキストを含むように、前記メニューアイコンの外観を変更すること
を含む、項目１０４に記載の方法。
（項目１１２）
前記メニューアイコンを生成することであって、前記メニューアイコンの外観は、前記ユーザが前記第１のアプリケーションへの前記第１のアクセスのレベルを有することを示す、ことは、
前記ユーザが前記メディアコンテンツの第１のセットへのアクセスを有するというインジケーションを含むように、前記メニューアイコンの外観を変更すること
を含み、
前記メニューアイコンを生成することであって、前記メニューアイコンの外観は、前記ユーザが前記第１のアプリケーションへの前記第２のアクセスのレベルを有することを示す、ことは、
前記ユーザが前記メディアコンテンツの第２のセットへのアクセスを有するというインジケーションを含むように、前記メニューアイコンの外観を変更すること
を含む、項目１０４に記載の方法。
（項目１１３）
前記アカウントステータスが前記アプリケーションへの前記第１のアクセスのレベルを示すことを決定することに応答して、
アップグレード入力を含む前記メニューアイコンを生成することと、
前記アップグレード入力との前記ユーザ相互作用を検出することに応答して、
前記メニューアイコンの外観が、前記ユーザが前記第１のアプリケーションへの前記第２のアクセスのレベルを有することを示すように、前記メニューアイコンを調節することと
をさらに含む、項目１０４に記載の方法。
（項目１１４）
アプリケーションのステータスをユーザに表示するためのシステムであって、前記システムは、
制御回路であって、
ユーザプロファイルを維持することであって、前記ユーザプロファイルは、複数のアプリケーションに関して、個別のアプリケーションへの前記ユーザのアクセスのレベルを示すユーザアカウントステータスを含む、ことと、
前記ユーザプロファイルから、前記複数のアプリケーションのうちの第１のアプリケーションに関連して前記ユーザのアカウントステータスを読み出すことと、
前記ユーザのアカウントステータスから、前記第１のアプリケーションへの前記ユーザのアクセスのレベルを決定することと、
前記ユーザが第１のアクセスのレベルを有することを決定することに応答して、前記ユーザは、前記第１のアプリケーションへの前記第１のアクセスのレベルを使用して、メディアコンテンツの第１のセットにアクセスすることができ、
メニューアイコンを生成することであって、前記メニューアイコンの外観は、前記ユーザが前記第１のアプリケーションへの前記第１のアクセスのレベルを有することを示す、ことと、
ユーザデバイス上に表示するために前記メニューアイコンを生成することと、
前記ユーザが第２のアクセスのレベルを有することを決定することに応答して、前記ユーザは、前記第１のアプリケーションへの前記第２のアクセスのレベルを使用して、前記第１のセットによって含有されていない少なくとも１つのメディアコンテンツを含有する、メディアコンテンツの第２のセットにアクセスすることができ、
前記メニューアイコンを生成することであって、前記メニューアイコンの外観は、前記ユーザが前記第１のアプリケーションへの前記第２のアクセスのレベルを有することを示す、ことと、
ユーザデバイス上に表示するために前記メニューアイコンを生成することと、
前記メニューアイコンとのユーザ相互作用のインジケーションを受信することに応答して、前記第１のアプリケーションを起動することと
を行うように構成される、制御回路
を備える、システム。
（項目１１５）
前記第１のアプリケーションへの前記第１のアクセスのレベルは、前記第１のアプリケーションへの無料サブスクリプションを有する前記ユーザを示し、
前記第１のアプリケーションへの前記第２のアクセスのレベルは、前記第１のアプリケーションへの有料サブスクリプションを有する前記ユーザを示す、項目１１４に記載のシステム。
（項目１１６）
前記制御回路は、
前記ユーザのアカウントステータスから時間を決定することであって、前記時間は、前記ユーザのための前記第１のアプリケーションへのサブスクリプションが満了するまで残された時間量である、ことと、
前記時間に基づいて、前記第１のアプリケーションへの前記ユーザのアクセスのレベルを決定することと
によって、前記第１のアプリケーションへの前記ユーザのアクセスのレベルを決定するように構成される、項目１１４に記載のシステム。
（項目１１７）
前記制御回路は、
前記時間のインジケーションを含むように、前記メニューアイコンの外観を変更することによって、前記メニューアイコンを生成するように構成され、前記メニューアイコンの外観は、前記ユーザが前記第１のアプリケーションへの前記第２のアクセスのレベルを有することを示す、項目１１６に記載のシステム。
（項目１１８）
前記制御回路は、
第１の色を含むように、前記メニューアイコンの外観を変更することによって、前記メニューアイコンを生成するように構成され、前記メニューアイコンの外観は、前記ユーザが前記第１のアプリケーションへの前記第１のアクセスのレベルを有することを示し、
前記制御回路は、
前記第１の色と異なる第２の色を含むように、前記メニューアイコンの外観を変更することによって、前記メニューアイコンを生成するように構成され、前記メニューアイコンの外観は、前記ユーザが前記第１のアプリケーションへの前記第２のアクセスのレベルを有することを示す、項目１１４に記載のシステム。
（項目１１９）
前記制御回路は、
前記メニューアイコンのサイズを第１のサイズに設定することによって、前記メニューアイコンを生成するように構成され、前記メニューアイコンの外観は、前記ユーザが前記第１のアプリケーションへの前記第１のアクセスのレベルを有することを示し、
前記制御回路は、
前記メニューアイコンのサイズを前記第１のサイズと異なる第２のサイズに設定することによって、前記メニューアイコンを生成するように構成され、前記メニューアイコンの外観は、前記ユーザが前記第１のアプリケーションへの前記第２のアクセスのレベルを有することを示す、項目１１４に記載のシステム。
（項目１２０）
前記制御回路は、
前記メニューアイコンの外観を静的であるように設定することによって、前記メニューアイコンを生成するように構成され、前記メニューアイコンの外観は、前記ユーザが前記第１のアプリケーションへの前記第１のアクセスのレベルを有することを示し、
前記制御回路は、
アニメーションを含むように、前記メニューアイコンの外観を修正することによって、前記メニューアイコンを生成するように構成され、前記メニューアイコンの外観は、前記ユーザが前記第１のアプリケーションへの前記第２のアクセスのレベルを有することを示す、項目１１４に記載のシステム。
（項目１２１）
前記制御回路は、
第１のテキストを含むように、前記メニューアイコンの外観を変更することによって、前記メニューアイコンを生成するように構成され、前記メニューアイコンの外観は、前記ユーザが前記第１のアプリケーションへの前記第１のアクセスのレベルを有することを示し、
前記制御回路は、
前記第１のテキストと異なる第２のテキストを含むように、前記メニューアイコンの外観を変更することによって、前記メニューアイコンを生成するように構成され、前記メニューアイコンの外観は、前記ユーザが前記第１のアプリケーションへの前記第２のアクセスのレベルを有することを示す、項目１１４に記載のシステム。
（項目１２２）
前記制御回路は、
前記ユーザが前記メディアコンテンツの第１のセットへのアクセスを有するというインジケーションを含むように、前記メニューアイコンの外観を変更することによって、前記メニューアイコンを生成するように構成され、前記メニューアイコンの外観は、前記ユーザが前記第１のアプリケーションへの前記第１のアクセスのレベルを有することを示し、
前記制御回路は、
前記ユーザが前記メディアコンテンツの第２のセットへのアクセスを有するというインジケーションを含むように、前記メニューアイコンの外観を変更することによって、前記メニューアイコンを生成するように構成され、前記メニューアイコンの外観は、前記ユーザが前記第１のアプリケーションへの前記第２のアクセスのレベルを有することを示す、項目１１４に記載のシステム。
（項目１２３）
前記制御回路は、
前記アカウントステータスが前記アプリケーションへの前記第１のアクセスのレベルを示すことを決定することに応答して、
アップグレード入力を含む前記メニューアイコンを生成することと、
前記アップグレード入力との前記ユーザ相互作用を検出することに応答して、
前記メニューアイコンの外観が、前記ユーザが前記第１のアプリケーションへの前記第２のアクセスのレベルを有することを示すように、前記メニューアイコンを調節することと
を行うように構成される、項目１１４に記載のシステム。
（項目１２４）
アプリケーションのステータスをユーザに表示するための装置であって、前記装置は、
ユーザプロファイルを維持するための手段であって、前記ユーザプロファイルは、複数のアプリケーションに関して、個別のアプリケーションへの前記ユーザのアクセスのレベルを示すユーザアカウントステータスを含む、手段と、
前記ユーザプロファイルから、前記複数のアプリケーションのうちの第１のアプリケーションに関連して前記ユーザのアカウントステータスを読み出すための手段と、
前記ユーザのアカウントステータスから、前記第１のアプリケーションへの前記ユーザのアクセスのレベルを決定するための手段と、
前記ユーザが第１のアクセスのレベルを有することを決定することに応答して、前記ユーザは、前記第１のアプリケーションへの前記第１のアクセスのレベルを使用して、メディアコンテンツの第１のセットにアクセスすることができ、
メニューアイコンを生成するための手段であって、前記メニューアイコンの外観は、前記ユーザが前記第１のアプリケーションへの前記第１のアクセスのレベルを有することを示す、手段と、
ユーザデバイス上に表示するために前記メニューアイコンを生成するための手段と、
前記ユーザが第２のアクセスのレベルを有することを決定することに応答して、前記ユーザは、前記第１のアプリケーションへの前記第２のアクセスのレベルを使用して、前記第１のセットによって含有されていない少なくとも１つのメディアコンテンツを含有するメディアコンテンツの第２のセットにアクセスすることができ、
前記メニューアイコンを生成するための手段であって、前記メニューアイコンの外観は、前記ユーザが前記第１のアプリケーションへの前記第２のアクセスのレベルを有することを示す、手段と、
ユーザデバイス上に表示するために前記メニューアイコンを生成するための手段と、
前記メニューアイコンとのユーザ相互作用のインジケーションを受信することに応答して、前記第１のアプリケーションを起動するための手段と
を備える、装置。
（項目１２５）
前記第１のアプリケーションへの前記第１のアクセスのレベルは、前記第１のアプリケーションへの無料サブスクリプションを有する前記ユーザを示し、
前記第１のアプリケーションへの前記第２のアクセスのレベルは、前記第１のアプリケーションへの有料サブスクリプションを有する前記ユーザを示す、項目１２４に記載の装置。
（項目１２６）
前記第１のアプリケーションへの前記ユーザのアクセスのレベルを決定するための手段は、
前記ユーザのアカウントステータスから時間を決定するための手段であって、前記時間は、前記ユーザのための前記第１のアプリケーションへのサブスクリプションが満了するまで残された時間量である、手段と、
前記時間に基づいて、前記第１のアプリケーションへの前記ユーザのアクセスのレベルを決定するための手段と
を備える、項目１２４に記載の装置。
（項目１２７）
前記メニューアイコンを生成するための手段であって、前記メニューアイコンの外観は、前記ユーザが前記第１のアプリケーションへの前記第２のアクセスのレベルを有することを示す、手段は、
前記時間のインジケーションを含むように、前記メニューアイコンの外観を変更するための手段
を備える、項目１２６に記載の装置。
（項目１２８）
前記メニューアイコンを生成するための手段であって、前記メニューアイコンの外観は、前記ユーザが前記第１のアプリケーションへの前記第１のアクセスのレベルを有することを示す、手段は、
第１の色を含むように、前記メニューアイコンの外観を変更するための手段
を備え、
前記メニューアイコンを生成するための手段であって、前記メニューアイコンの外観は、前記ユーザが前記第１のアプリケーションへの前記第２のアクセスのレベルを有することを示す、手段は、
前記第１の色と異なる第２の色を含むように、前記メニューアイコンの外観を変更するための手段
を備える、項目１２４に記載の装置。
（項目１２９）
前記メニューアイコンを生成するための手段であって、前記メニューアイコンの外観は、前記ユーザが前記第１のアプリケーションへの前記第１のアクセスのレベルを有することを示す、手段は、
前記メニューアイコンのサイズを第１のサイズに設定するための手段
を備え、
前記メニューアイコンを生成するための手段であって、前記メニューアイコンの外観は、前記ユーザが前記第１のアプリケーションへの前記第２のアクセスのレベルを有することを示す、手段は、
前記メニューアイコンのサイズを前記第１のサイズと異なる第２のサイズに設定するための手段
を備える、項目１２４に記載の装置。
（項目１３０）
前記メニューアイコンを生成するための手段であって、前記メニューアイコンの外観は、前記ユーザが前記第１のアプリケーションへの前記第１のアクセスのレベルを有することを示す、手段は、
前記メニューアイコンの外観を静的であるように設定するための手段
を備え、
前記メニューアイコンを生成するための手段であって、前記メニューアイコンの外観は、前記ユーザが前記第１のアプリケーションへの前記第２のアクセスのレベルを有することを示す、手段は、
アニメーションを含むように、前記メニューアイコンの外観を修正するための手段
を備える、項目１２４に記載の装置。
（項目１３１）
前記メニューアイコンを生成するための手段であって、前記メニューアイコンの外観は、前記ユーザが前記第１のアプリケーションへの前記第１のアクセスのレベルを有することを示す、手段は、
第１のテキストを含むように、前記メニューアイコンの外観を変更するための手段
を備え、
前記メニューアイコンを生成するための手段であって、前記メニューアイコンの外観は、前記ユーザが前記第１のアプリケーションへの前記第２のアクセスのレベルを有することを示す、手段は、
前記第１のテキストと異なる第２のテキストを含むように、前記メニューアイコンの外観を変更するための手段
を備える、項目１２４に記載の装置。
（項目１３２）
前記メニューアイコンを生成するための手段であって、前記メニューアイコンの外観は、前記ユーザが前記第１のアプリケーションへの前記第１のアクセスのレベルを有することを示す、手段は、
前記ユーザが前記メディアコンテンツの第１のセットへのアクセスを有するというインジケーションを含むように、前記メニューアイコンの外観を変更するための手段
を備え、
前記メニューアイコンを生成するための手段であって、前記メニューアイコンの外観は、前記ユーザが前記第１のアプリケーションへの前記第２のアクセスのレベルを有することを示す、手段は、
前記ユーザが前記メディアコンテンツの第２のセットへのアクセスを有するというインジケーションを含むように、前記メニューアイコンの外観を変更するための手段
を備える、項目１２４に記載の装置。
（項目１３３）
前記アカウントステータスが前記アプリケーションへの前記第１のアクセスのレベルを示すことを決定することに応答して、
アップグレード入力を含む前記メニューアイコンを生成するための手段と、
前記アップグレード入力との前記ユーザ相互作用を検出することに応答して、
前記メニューアイコンの外観が、前記ユーザが前記第１のアプリケーションへの前記第２のアクセスのレベルを有することを示すように、前記メニューアイコンを調節するための手段と
をさらに備える、項目１２４に記載の装置。
（項目１３４）
非一過性のコンピュータ可読媒体であって、前記非一過性のコンピュータ可読媒体は、アプリケーションのステータスをユーザに表示するためにその上に非一過性のコンピュータ可読命令をエンコードされており、前記非一過性のコンピュータ可読命令は、
ユーザプロファイルを維持するための命令であって、前記ユーザプロファイルは、複数のアプリケーションに関して、個別のアプリケーションへの前記ユーザのアクセスのレベルを示すユーザアカウントステータスを含む、命令と、
前記ユーザプロファイルから、前記複数のアプリケーションのうちの第１のアプリケーションに関連して前記ユーザのアカウントステータスを読み出すための命令と、
前記ユーザのアカウントステータスから、前記第１のアプリケーションへの前記ユーザのアクセスのレベルを決定するための命令と、
前記ユーザが第１のアクセスのレベルを有することを決定することに応答して、前記ユーザは、前記第１のアプリケーションへの前記第１のアクセスのレベルを使用して、メディアコンテンツの第１のセットにアクセスすることができ、
メニューアイコンを生成するための命令であって、前記メニューアイコンの外観は、前記ユーザが前記第１のアプリケーションへの前記第１のアクセスのレベルを有することを示す、命令と、
ユーザデバイス上に表示するために前記メニューアイコンを生成するための命令と、
前記ユーザが第２のアクセスのレベルを有することを決定することに応答して、前記ユーザは、前記第１のアプリケーションへの前記第２のアクセスのレベルを使用して、前記第１のセットによって含有されていない少なくとも１つのメディアコンテンツを含有するメディアコンテンツの第２のセットにアクセスすることができ、
前記メニューアイコンを生成するための命令であって、前記メニューアイコンの外観は、前記ユーザが前記第１のアプリケーションへの前記第２のアクセスのレベルを有することを示す、命令と、
ユーザデバイス上に表示するために前記メニューアイコンを生成するための命令と、
前記メニューアイコンとのユーザ相互作用のインジケーションを受信することに応答して、前記第１のアプリケーションを起動するための命令と
を備える、非一過性のコンピュータ可読媒体。
（項目１３５）
前記第１のアプリケーションへの前記第１のアクセスのレベルは、前記第１のアプリケーションへの無料サブスクリプションを有する前記ユーザを示し、
前記第１のアプリケーションへの前記第２のアクセスのレベルは、前記第１のアプリケーションへの有料サブスクリプションを有する前記ユーザを示す、項目１３４に記載の非一過性のコンピュータ可読媒体。
（項目１３６）
前記第１のアプリケーションへの前記ユーザのアクセスのレベルを決定するための命令は、
前記ユーザのアカウントステータスから時間を決定するための命令であって、前記時間は、前記ユーザのための前記第１のアプリケーションへのサブスクリプションが満了するまで残された時間量である、命令と、
前記時間に基づいて、前記第１のアプリケーションへの前記ユーザのアクセスのレベルを決定するための命令と
を備える、項目１３４に記載の非一過性のコンピュータ可読媒体。
（項目１３７）
前記メニューアイコンを生成するための命令であって、前記メニューアイコンの外観は、前記ユーザが前記第１のアプリケーションへの前記第２のアクセスのレベルを有することを示す、命令は、
前記時間のインジケーションを含むように、前記メニューアイコンの外観を変更するための命令
を備える、項目１３６に記載の非一過性のコンピュータ可読媒体。
（項目１３８）
前記メニューアイコンを生成するための命令であって、前記メニューアイコンの外観は、前記ユーザが前記第１のアプリケーションへの前記第１のアクセスのレベルを有することを示す、命令は、
第１の色を含むように、前記メニューアイコンの外観を変更するための命令
を備え、
前記メニューアイコンを生成するための命令であって、前記メニューアイコンの外観は、前記ユーザが前記第１のアプリケーションへの前記第２のアクセスのレベルを有することを示す、命令は、
前記第１の色と異なる第２の色を含むように、前記メニューアイコンの外観を変更するための命令
を備える、項目１３４に記載の非一過性のコンピュータ可読媒体。
（項目１３９）
前記メニューアイコンを生成するための命令であって、前記メニューアイコンの外観は、前記ユーザが前記第１のアプリケーションへの前記第１のアクセスのレベルを有することを示す、命令は、
前記メニューアイコンのサイズを第１のサイズに設定するための命令
を備え、
前記メニューアイコンを生成するための命令であって、前記メニューアイコンの外観は、前記ユーザが前記第１のアプリケーションへの前記第２のアクセスのレベルを有することを示す、命令は、
前記メニューアイコンのサイズを前記第１のサイズと異なる第２のサイズに設定するための命令
を備える、項目１３４に記載の非一過性のコンピュータ可読媒体。
（項目１４０）
前記メニューアイコンを生成するための命令であって、前記メニューアイコンの外観は、前記ユーザが前記第１のアプリケーションへの前記第１のアクセスのレベルを有することを示す、命令は、
前記メニューアイコンの外観を静的であるように設定するための命令
を備え、
前記メニューアイコンを生成するための命令であって、前記メニューアイコンの外観は、前記ユーザが前記第１のアプリケーションへの前記第２のアクセスのレベルを有することを示す、命令は、
アニメーションを含むように、前記メニューアイコンの外観を修正するための命令
を備える、項目１３４に記載の非一過性のコンピュータ可読媒体。
（項目１４１）
前記メニューアイコンを生成するための命令であって、前記メニューアイコンの外観は、前記ユーザが前記第１のアプリケーションへの前記第１のアクセスのレベルを有することを示す、命令は、
第１のテキストを含むように、前記メニューアイコンの外観を変更するための命令
を備え、
前記メニューアイコンを生成するための命令であって、前記メニューアイコンの外観は、前記ユーザが前記第１のアプリケーションへの前記第２のアクセスのレベルを有することを示す、命令は、
前記第１のテキストと異なる第２のテキストを含むように、前記メニューアイコンの外観を変更するための命令
を備える、項目１３４に記載の非一過性のコンピュータ可読媒体。
（項目１４２）
前記メニューアイコンを生成するための命令であって、前記メニューアイコンの外観は、前記ユーザが前記第１のアプリケーションへの前記第１のアクセスのレベルを有することを示す、命令は、
前記ユーザが前記メディアコンテンツの第１のセットへのアクセスを有するというインジケーションを含むように、前記メニューアイコンの外観を変更するための命令
を備え、
前記メニューアイコンを生成するための命令であって、前記メニューアイコンの外観は、前記ユーザが前記第１のアプリケーションへの前記第２のアクセスのレベルを有することを示す、命令は、
前記ユーザが前記メディアコンテンツの第２のセットへのアクセスを有するというインジケーションを含むように、前記メニューアイコンの外観を変更するための命令
を備える、項目１３４に記載の非一過性のコンピュータ可読媒体。
（項目１４３）
前記アカウントステータスが前記アプリケーションへの前記第１のアクセスのレベルを示すことを決定することに応答して、
アップグレード入力を含む前記メニューアイコンを生成するための命令と、
前記アップグレード入力との前記ユーザ相互作用を検出することに応答して、
前記メニューアイコンの外観が、前記ユーザが前記第１のアプリケーションへの前記第２のアクセスのレベルを有することを示すように、前記メニューアイコンを調節するための命令と
をさらに備える、項目１３４に記載の非一過性のコンピュータ可読媒体。
（項目１４４）
アプリケーションのステータスをユーザに表示するための方法であって、前記方法は、
ユーザプロファイルを維持することであって、前記ユーザプロファイルは、複数のアプリケーションに関して、個別のアプリケーションへの前記ユーザのアクセスのレベルを示すユーザアカウントステータスを含む、ことと、
前記ユーザプロファイルから、前記複数のアプリケーションのうちの第１のアプリケーションに関連して前記ユーザのアカウントステータスを読み出すことと、
前記ユーザのアカウントステータスから、前記第１のアプリケーションへの前記ユーザのアクセスのレベルを決定することと、
前記ユーザが第１のアクセスのレベルを有することを決定することに応答して、前記ユーザは、前記第１のアプリケーションへの前記第１のアクセスのレベルを使用して、メディアコンテンツの第１のセットにアクセスすることができ、
メニューアイコンを生成することであって、前記メニューアイコンの外観は、前記ユーザが前記第１のアプリケーションへの前記第１のアクセスのレベルを有することを示す、ことと、
ユーザデバイス上に表示するために前記メニューアイコンを生成することと、
前記ユーザが第２のアクセスのレベルを有することを決定することに応答して、前記ユーザは、前記第１のアプリケーションへの前記第２のアクセスのレベルを使用して、前記第１のセットによって含有されていない少なくとも１つのメディアコンテンツを含有するメディアコンテンツの第２のセットにアクセスすることができ、
前記メニューアイコンを生成することであって、前記メニューアイコンの外観は、前記ユーザが前記第１のアプリケーションへの前記第２のアクセスのレベルを有することを示す、ことと、
ユーザデバイス上に表示するために前記メニューアイコンを生成することと、
前記メニューアイコンとのユーザ相互作用のインジケーションを受信することに応答して、前記第１のアプリケーションを起動することと
を含む、方法。
（項目１４５）
前記第１のアプリケーションへの前記第１のアクセスのレベルは、前記第１のアプリケーションへの無料サブスクリプションを有する前記ユーザを示し、
前記第１のアプリケーションへの前記第２のアクセスのレベルは、前記第１のアプリケーションへの有料サブスクリプションを有する前記ユーザを示す、項目１４４に記載の方法。
（項目１４６）
前記第１のアプリケーションへの前記ユーザのアクセスのレベルを決定することは、
前記ユーザのアカウントステータスから時間を決定することであって、前記時間は、前記ユーザのための前記第１のアプリケーションへのサブスクリプションが満了するまで残された時間量である、ことと、
前記時間に基づいて、前記第１のアプリケーションへの前記ユーザのアクセスのレベルを決定することと
を含む、項目１４４−１４５のいずれか１項に記載の方法。
（項目１４７）
前記メニューアイコンを生成することであって、前記メニューアイコンの外観は、前記ユーザが前記第１のアプリケーションへの前記第２のアクセスのレベルを有することを示す、ことは、
前記時間のインジケーションを含むように、前記メニューアイコンの外観を変更すること
を含む、項目１４６に記載の方法。
（項目１４８）
前記メニューアイコンを生成することであって、前記メニューアイコンの外観は、前記ユーザが前記第１のアプリケーションへの前記第１のアクセスのレベルを有することを示す、ことは、
第１の色を含むように、前記メニューアイコンの外観を変更すること
を含み、
前記メニューアイコンを生成することであって、前記メニューアイコンの外観は、前記ユーザが前記第１のアプリケーションへの前記第２のアクセスのレベルを有することを示す、ことは、
前記第１の色と異なる第２の色を含むように、前記メニューアイコンの外観を変更すること
を含む、項目１４４−１４７のいずれか１項に記載の方法。
（項目１４９）
前記メニューアイコンを生成することであって、前記メニューアイコンの外観は、前記ユーザが前記第１のアプリケーションへの前記第１のアクセスのレベルを有することを示す、ことは、
前記メニューアイコンのサイズを第１のサイズに設定すること
を含み、
前記メニューアイコンを生成することであって、前記メニューアイコンの外観は、前記ユーザが前記第１のアプリケーションへの前記第２のアクセスのレベルを有することを示す、ことは、
前記メニューアイコンのサイズを前記第１のサイズと異なる第２のサイズに設定すること
を含む、項目１４４−１４８のいずれか１項に記載の方法。
（項目１５０）
前記メニューアイコンを生成することであって、前記メニューアイコンの外観は、前記ユーザが前記第１のアプリケーションへの前記第１のアクセスのレベルを有することを示す、ことは、
前記メニューアイコンの外観を静的であるように設定すること
を含み、
前記メニューアイコンを生成することであって、前記メニューアイコンの外観は、前記ユーザが前記第１のアプリケーションへの前記第２のアクセスのレベルを有することを示す、ことは、
アニメーションを含むように、前記メニューアイコンの外観を修正すること
を含む、項目１４４−１４９のいずれか１項に記載の方法。
（項目１５１）
前記メニューアイコンを生成することであって、前記メニューアイコンの外観は、前記ユーザが前記第１のアプリケーションへの前記第１のアクセスのレベルを有することを示す、ことは、
第１のテキストを含むように、前記メニューアイコンの外観を変更すること
を含み、
前記メニューアイコンを生成することであって、前記メニューアイコンの外観は、前記ユーザが前記第１のアプリケーションへの前記第２のアクセスのレベルを有することを示す、ことは、
前記第１のテキストと異なる第２のテキストを含むように、前記メニューアイコンの外観を変更すること
を含む、項目１４４−１５０のいずれか１項に記載の方法。
（項目１５２）
前記メニューアイコンを生成することであって、前記メニューアイコンの外観は、前記ユーザが前記第１のアプリケーションへの前記第１のアクセスのレベルを有することを示す、ことは、
前記ユーザが前記メディアコンテンツの第１のセットへのアクセスを有するというインジケーションを含むように、前記メニューアイコンの外観を変更すること
を含み、
前記メニューアイコンを生成することであって、前記メニューアイコンの外観は、前記ユーザが前記第１のアプリケーションへの前記第２のアクセスのレベルを有することを示す、ことは、
前記ユーザが前記メディアコンテンツの第２のセットへのアクセスを有するというインジケーションを含むように、前記メニューアイコンの外観を変更すること
を含む、項目１４４−１５１のいずれか１項に記載の方法。
（項目１５３）
前記アカウントステータスが前記アプリケーションへの前記第１のアクセスのレベルを示すことを決定することに応答して、
アップグレード入力を含む前記メニューアイコンを生成することと、
前記アップグレード入力との前記ユーザ相互作用を検出することに応答して、
前記メニューアイコンの外観が、前記ユーザが前記第１のアプリケーションへの前記第２のアクセスのレベルを有することを示すように、前記メニューアイコンを調節することと
をさらに含む、項目１４４−１５２のいずれか１項に記載の方法。